(57)【要約】【課題】利用者が所望する商品を正確且つ短時間に選択することの可能な自動販売機を提供する。【解決手段】商品Ｃの種類を選択するための複数のタブＢ１〜Ｂ５をＬＣＤ１４に表示させ、各タブＢ１〜Ｂ５がタッチされると、その種類に対応する商品Ｃを抽出するとともに、抽出された商品Ｃの画像を他の商品の画像とは異なる態様でＬＣＤ１４に表示する第２制御部を備えたので、所望商品の画像を他の種類の商品の画像と容易に判別することができる。従って、例えば炭酸飲料を所望する場合には所望の商品を炭酸飲料の商品の中からを正確に選択できるとともに、所望の販売商品を選択するまでの時間を短くすることができ、利用者の利便性を向上させることができる。【選択図】図８
2008059092.tif 000002
【特許請求の範囲】
【請求項１】
商品の画像を表示可能な表示部と、表示部に設けられたタッチセンサとを備え、表示部に表示された商品画像がタッチされたことをタッチセンサにより検知すると、その商品画像に対応する商品を搬出するようにした自動販売機において、
前記商品の種類を選択するための種類選択部を表示部に表示させ、種類選択部がタッチされると、その種類に対応する商品を抽出するとともに、抽出された商品の画像を他の商品の画像とは異なる態様で表示部に表示する制御手段を備えた
ことを特徴とする自動販売機。
【請求項２】
前記制御手段を、商品の画像のうち抽出された商品の画像のみを表示部に表示するように構成した
ことを特徴とする請求項１記載の自動販売機。
【請求項３】
前記制御手段を、抽出された商品の画像のみを表示する所定の抽出画面を商品画像上に重なるように表示部に表示させ、抽出画面に表示された商品画像がタッチされたことをタッチセンサにより検知すると、その商品画像に対応する商品を搬出するように構成した
ことを特徴とする請求項２記載の自動販売機。
【請求項４】
前記種類選択部によって選択可能な商品の種類数を販売可能商品の種類数に応じて変更可能に構成した
ことを特徴とする請求項１、２または３記載の自動販売機。
【発明の詳細な説明】
【技術分野】
【０００１】
本発明は、例えば缶入り飲料、紙パック飲料、箱入り菓子等の商品を販売する自動販売機に関するものである。
【背景技術】
【０００２】
従来、この種の自動販売機として、商品の画像を表示可能な表示部と、表示部に設けられたタッチセンサとを備え、表示部に表示された商品画像がタッチされたことをタッチセンサにより検知すると、その商品画像に対応する商品を搬出するようにしたものが知られている（例えば特許文献１参照）。
【特許文献１】特開平６−８９３８５号公報
【発明の開示】
【発明が解決しようとする課題】
【０００３】
しかしながら、前記従来例では、販売可能な全ての商品の画像が表示部に表示されているので、例えば利用者が炭酸飲料を所望しているにも拘らず無炭酸の果汁入飲料を誤って選択したり、所望の販売商品を選択するまでの時間が長くなるなど、利用者の利便性を低下させるという問題点があった。
【０００４】
本発明は前記問題点に鑑みてなされたものであり、その目的とするところは、利用者が所望する商品を正確且つ短時間に選択することの可能な自動販売機を提供することにある。
【課題を解決するための手段】
【０００５】
本発明は、前記目的を達成するために、商品の画像を表示可能な表示部と、表示部に設けられたタッチセンサとを備え、表示部に表示された商品画像がタッチされたことをタッチセンサにより検知すると、その商品画像に対応する商品を搬出するようにした自動販売機において、前記商品の種類を選択するための種類選択部を表示部に表示させ、種類選択部がタッチされると、その種類に対応する商品を抽出するとともに、抽出された商品の画像を他の商品の画像とは異なる態様で表示部に表示する制御手段を備えている。
【０００６】
これにより、種類選択部によって選択された種類に対応する商品の画像が他の商品の画像とは異なる態様で表示されることから、所望商品の画像を他の種類の商品の画像と容易に判別することが可能となる。
【発明の効果】
【０００７】
本発明によれば、所望商品の画像を他の種類の商品の画像と容易に判別することができるので、例えば炭酸飲料を所望する場合には所望の商品を炭酸飲料の商品の中からを正確に選択できるとともに、所望の販売商品を選択するまでの時間を短くすることができ、利用者の利便性を向上させることができる。
【発明を実施するための最良の形態】
【０００８】
図１乃至図１０は本発明の一実施形態を示すもので、図１は自動販売機の正面図、図２は図１に示した自動販売機の側面断面図、図３は図１に示した自動販売機の制御系構成を示すブロック図、図４は商品情報のデータ構造の一例を示す図、図５は図１に示した自動販売機における商品販売動作の流れを示すフロー図、図６は商品販売画面を示す図、図７は商品販売画面及び抽出画面を示す図、図８は種類選択後の商品販売画面及び抽出画面を示す図、図９は商品選択後の商品販売画面及び抽出画面を示す図、図１０は商品販売画面の変形例を示す図である。
【０００９】
まず、図１及び図２を参照して自動販売機の構造について説明する。ここでの説明では図１の手前側を前、奥側を後、左側を左、右側を右と表記する。
【００１０】
自動販売機本体１は箱形を成し、前面を開口した断熱室１ａをその内側に備えている。断熱室１ａは断熱性の仕切り板（図示省略）によって左右に並ぶ複数の庫室ＳＲに区分されている。
【００１１】
各庫室ＳＲ内には、サーペンタイン式ラックから成る商品収納ラック２がそれぞれ配置されている。各商品収納ラック２は前面側上部に商品投入口２ａを有し、蛇行状の収納通路２ｂに缶入り飲料、瓶入り飲料、ペットボトル入り飲料等の商品Ｃを横向きで積み重ねた状態で収納している。また、各商品収納ラック２の下部には、収納商品Ｃを１個宛シュート板３上に落下搬出するための商品搬出機構２ｃが設けられている。さらに、各庫室ＳＲ毎に配置された商品収納ラック２それぞれには、商品Ｃの有無を収納通路２ｂ単位で検知する売切検知センサ（図示省略）が設けられている。この商品収納ラック２には、サーペンタイン式ラックに限らず、サーペンタイン式ラックと同様に収納商品を１個宛搬出可能な他形式のラックを使用することが可能である。
【００１２】
また、各庫室ＳＲ内には、その底部から背部にかけてシュート板３とダクト板４が設けられている。シュート板３及びダクト板４下側及び背面側の空間には、冷凍機構成機器のうちの蒸発器５と電熱ヒータ６と冷却・加温空気循環用送風機７等が配置され、ダクト板４の背面側空間はダクトＤとして構成されている。さらに、各庫室ＳＲ内には、商品収納ラック２内の搬出間近商品の温度を検知する温度センサ（図示省略）が設けられている。
【００１３】
断熱室１ａの底板１ｂの下側には機械室ＭＲが設けられており、この機械室ＭＲ内には、冷凍機構成機器のうちの凝縮器８、圧縮機９及び膨張手段（図示省略）と排熱用送風機１０等が配置されている。
【００１４】
また、断熱室１ａの前側には、その前面開口を開閉自在に覆う断熱性の内扉１１が設けられている。断熱室１ａの上下左右の前端部（下側の前端部は底板１ｂの前端部）と各仕切り板の前端部には、内扉１１を閉じた状態で商品収納室（各庫室ＳＲ）を気密状態とするためのパッキン（符号無し）が設けられており、各庫室ＳＲは内扉１１を閉じた状態で独立した断熱空間となる。さらに、内扉１１の下部には、各庫室ＳＲのシュート板３に対応した窓穴１１ａが複数個形成されており、各窓穴１１ａには、シュート板３を滑り落ちる商品Ｃによって押し開けられるフラップドア１１ｂが設けられている。
【００１５】
つまり、この自動販売機では、各庫室ＳＲが独立の断熱空間を構成し、しかも、各庫室ＳＲに蒸発器５と電熱ヒータ６が独立して設けられていることから、後述の温度調整用設定器３０（図３参照）によって庫室ＳＲ毎に冷却と加温と非冷却・加温の３つのモードの何れか１つを任意に選択して実施することができる。
【００１６】
外扉１２は自動販売機本体１の前面開口に開閉自在に設けられており、この外扉１２の表面上部には化粧パネル１３が設けられている。この化粧パネル１３は、液晶ディスプレイ１４の画面を露出するための矩形状窓穴１３ａと、商品メーカー名や商品名等を文字で表示するための広告部１３ｂを有している。
【００１７】
液晶ディスプレイ（Ｌｉｑｕｉｄ  Ｃｒｙｓｔａｌ  Ｄｉｓｐｌａｙ、以下ＬＣＤと言う）１４は後述の商品販売画面及び抽出画面を構成する静止画像及び動画像等をカラー表示するためのもので、その画面が窓穴１３ａから露出するように化粧パネル１３の内側に配置されている。このＬＣＤ１４は所定サイズと所定解像度、例えば１８インチのサイズと１２８０×１０２４ピクセルの解像度を有する。このＬＣＤ１４の代わりに同様の表示を可能とした周知ディスプレイ、例えばＣＲＴ（Ｃａｔｈｏｄｅ  Ｒａｙ  Ｔｕｂｅ）ディスプレイやＰＤＰ（Ｐｌａｓｍａ  Ｄｉｓｐｌａｙ  Ｐａｎｅｌ）等を使用することが可能である。
【００１８】
図１及び図２における図示を省略したが、ＬＣＤ１４の画面には、画面に利用者がタッチした位置を検知して画面上の座標位置を指定するタッチセンサ３３（図３参照）が設けられている。このタッチセンサ３３には周知の静電式透明タッチパネルや感圧式透明タッチパネルの他に、赤外線センサを構成する発光部と受光部を矩形枠の上下辺と左右辺に等間隔で配置したもの等が適宜使用できる。
【００１９】
また、外扉１２の前面には、ロック操作レバー１５、硬貨投入口１６、返却レバー１７、紙幣投入口１８、硬貨返却口１９、商品取出口２０が図１に示すレイアウトで設けられている。因みに、ロック操作レバー１５は外扉１２内に設けられたロック機構（図示省略）を操作するためのもので、専用キーによって使用可能な状態となる。また、商品取出口２０には、手動により開放可能なフラップドア２１が設けられ、その内側にはフラップドア１１ｂから排出された商品Ｃを受容する商品受け板２２が設けられている。
【００２０】
次に、図３を参照して図１及び図２に示した自動販売機の制御系構成について説明する。
【００２１】
第１制御部２３は商品Ｃの温調及び搬出等を主として制御するためのもので、第２制御部２４はＬＣＤ１４の表示及び外部とのデータ通信等を主として制御するためのものである。両制御部２３，２４はＣＰＵ、ＲＡＭ、ＲＯＭ等を備えたコンピュータから成り、制御上で必要なデータ交換を相互で行うことができる。勿論、第１制御部２３と第２制御部２４は１台のコンピュータで構成してもよい。なお、第２制御部２４は本願請求項でいう制御手段を構成している。
【００２２】
第１制御部２３には、硬貨処理機２５、紙幣識別機２６、搬出駆動部２７、圧縮機駆動部２８、ヒータ駆動部２９、温度調整用設定器３０が接続されている。また、第１制御部２３には、各庫室ＳＲ毎に配置された商品収納ラック２内の商品Ｃの有無を収納通路２ｂ単位で検知する売切検知センサ（図示省略）が売切検知部（図示省略）を介して接続され、各庫室ＳＲ内の搬出間近商品の温度を検知する温度センサ（図示省略）が温度検知部（図示省略）を介して接続されている。
【００２３】
硬貨処理機２５と紙幣識別機２６は外扉１２内に配置されていて、硬貨処理機２５は硬貨投入口１６を通じて投入された硬貨の真偽識別と計数と貯蔵を行い、投入硬貨の金額に関するデータを第１制御部２３に送出する。紙幣識別機２６は紙幣投入口１８を通じて投入された紙幣の真偽識別と貯蔵を行い、投入紙幣の金額に関するデータを第１制御部２３に送出する。
【００２４】
搬出駆動部２７は、各商品収納ラック２に設けられた商品搬出機構２ｃの動作、詳しくは商品搬出機構２ｃに用いられているソレノイド等のアクチュエータの動作を制御するためのもので、第１制御部２３からの制御信号に基づいて所定の商品搬出機構２ｃを動作させて所期の商品搬出を行う。
【００２５】
圧縮機駆動部２８は、冷凍機を構成する圧縮機９の動作、詳しくは圧縮機９を駆動するためのモータの運転を制御するためのもので、第１制御部２３からの制御信号に基づいて所期の圧縮機駆動を行う。
【００２６】
ヒータ駆動部２９は、各電熱ヒータ６への通電を制御するためのもので、第１制御部２３からの制御信号に基づいて所定の電熱ヒータ６への通電を行う。
【００２７】
温度調整用設定器３０は、先に述べた３つのモードの何れか１つを各庫室ＳＲ毎に選択するためのもので、モード選択用の押しボタンスイッチ等を備え、選択されたモードに関するデータを第１制御部２３に送出する。
【００２８】
第２制御部２４には、ＬＣＤ駆動部３１と、座標検出部３２と、音声出力部３４と、メモリーカードアダプタ（以下ＭＣアダプタと言う）３６と、モデム３８と、無線通信部４０が接続されている。
【００２９】
ＬＣＤ駆動部３１は、外扉１２に設けられたＬＣＤ１４の表示を制御するためのもので、第２制御部２４からの画像データ及び制御信号に基づいてＬＣＤ１４を駆動して所期の画像表示を行う。
【００３０】
座標検出部３２は、タッチセンサ３３の検知信号に基づき画面上の座標に関するデータを第２制御部２４に送出する。後述する各画面で表示される領域はＬＣＤ１４の画面上の座標を基準として設定されているので、座標検出部３２から第２制御部２４に送られるデータによって各種画面においてどの領域が選択されたかを簡単に判断できる。
【００３１】
音声出力部３４は、第２制御部２４からの音声信号及び制御信号に基づいてスピーカ３５を駆動して所期の音声出力を行う。このスピーカ３５は外扉１２内のＬＣＤ１４の両側に少なくとも１個宛配置されていて、ステレオ方式により立体的な音響効果が得られるようになっている。
【００３２】
ＭＣアダプタ３６は、メモリーカード（以下ＭＣと言う）３７の接続を可能とする。モデム３８は公衆電話回線３９等を利用して外部サーバ等との間でデータ通信を行うためのものであり、無線通信部４０は携帯電話網やＰＨＳ電話網等を利用して外部サーバ等との間で無線にてデータ通信を行うためのものである。
【００３３】
ＬＣＤ１４に表示され得る静止画像及び動画像等の画像データと文字データやスピーカ３５から出力される音声データは、ＭＣ３７、モデム３８を介してのデータ通信、または、無線通信網４０を介してのデータ通信によって、第２制御部２４が備えるハードディスク等の記憶手段に取り込むことができ、データ更新も任意に行うことができる。
【００３４】
前記の画像データ、文字データ及び音声データには、後述する商品販売画面時の表示画像（販売可能商品それぞれに対応した複数の商品画像を含む）、表示文字及び出力音声や、抽出画面時の表示画像、表示文字及び出力音声等が含まれる。
【００３５】
また、第２制御部２４の記憶手段には、商品販売画面及び抽出画面に表示される複数の商品情報が記憶されている。各商品情報は商品Ｃの内容を表すものであり、図４に示すように商品Ｃを識別するための商品コードと、商品画像、価格、品名、銘柄、カロリー及び容量等の複数の属性から構成されている。また、商品画像は、所定のサイズ及び解像度を有するＬＣＤ１４において実サイズで表示可能なサイズ（横ピクセル×縦ピクセル数）で作成されている。
【００３６】
次に、図５〜図９を参照して図１及び図２に示した自動販売機における商品販売動作について説明する。
【００３７】
自動販売機の電源を入れると、図６に示す商品販売画面がＬＣＤ１４に表示される（ステップＳ１）。
【００３８】
この商品販売画面には、複数の商品サンプル表示領域Ａ１〜Ａ３０と、自動販売機の稼動状態を販売中か準備中の何れかにより表示するための稼動状態表示領域Ａ３１と、硬貨投入口１６及び紙幣投入口１８を通じて投入された金額を表示するための投入金額表示領域Ａ３２と、商品属性表示領域Ａ３３と、商品情報表示領域Ａ３４と、電源投入時の商品販売画面に戻すためのリターン領域Ｂ３５が図６に示すレイアウトで設定されている。
【００３９】
各商品サンプル表示領域Ａ１〜Ａ３０の中央には、販売可能商品を示す商品画像が縮小サイズでそれぞれ表示されている。この縮小サイズの商品画像ＳＤＩは、第２制御部２４の記憶手段に記憶されている商品情報の商品画像を７０％〜３０％に相似縮小したものである。
【００４０】
また、各商品サンプル表示領域Ａ１〜Ａ３０に表示された縮小サイズの商品画像ＳＤＩの下側には商品Ｃの価格を示す数字が表示され、縮小サイズの商品画像ＳＤＩの上側には商品の冷却・加温状態を示すＣＯＬＤまたはＨＯＴの温調文字が表示されている。この温調文字は商品価格と隣接して表示してもよい。温調文字がＣＯＬＤの場合には温調文字またはその下地にブルー系の寒色が使用され、温調文字がＨＯＴの場合には温調文字またはその下地にレッド系の暖色が使用される。縮小サイズの商品画像ＳＤＩと温調文字との間には任意の設定により新商品やキャンペーン等のアイコンを表示することができる。また、商品Ｃが冷却中または加温中で販売に適さない状態にあるときには、商品価格の表示エリアに冷却中または加温中の文字を表示することができる。
【００４１】
ここで、前記商品サンプル表示領域Ａ１〜Ａ３０の表示設定の流れを簡単に説明する。まず、商品Ｃを各商品収納ラック２の収納通路２ｂに収納し、この後に収納商品Ｃに対応する商品コードを第１制御部２３に接続可能なリモコンまたは第１制御部２３と無線通信可能なハンディターミナルによって入力し、次に、商品コードを各商品サンプル表示領域Ａ１〜Ａ３０に割り当てる操作を行う。各商品コードに対応した商品画像及び商品価格は第２制御部２４の記憶手段に予め記憶されているので、商品コードの入力により所定の縮小サイズの商品画像ＳＤＩとその商品価格が各商品サンプル表示領域Ａ１〜Ａ３０に表示される。また、温調文字は温度調整用設定器３０で設定された内容に準じて表示される。新商品やキャンペーン等のアイコンを表示する場合には、予め用意されたアイコン群の中から所定のアイコンを選択した後にアイコンを表示すべき商品サンプル表示領域を選択すればよい。
【００４２】
また、商品属性表示領域Ａ３３には、商品情報を構成する品名、銘柄及びカロリーのそれぞれを示す領域Ａ３３ａ〜Ａ３３ｃが表示されており、各領域Ａ３３ａ〜Ａ３３ｃのうち何れか１つがタッチされることにより、所望商品の属性が選択される。
【００４３】
次に、各領域Ａ３３ａ〜Ａ３３ｃのうち何れか１つがタッチされることにより、所望商品の属性選択がなされると（ステップＳ２）、図７に示すような抽出画面Ｂが表示される（ステップＳ３）。
【００４４】
この抽出画面Ｂには、所望商品の種類を選択するための種類選択部としての複数のタブＢ１〜Ｂ５と、各タブＢ１〜Ｂ５によって選択された種類に対応する商品Ｃの商品画像を表示するための抽出商品表示領域Ｂ６が図７に示すレイアウトで設定されている。なお、図７に示す抽出画面Ｂは、品名を示す領域Ａ３３ａがタッチされた場合に表示されるものであり、抽出画面Ｂのタブの数は、販売可能商品の品名の種類数（本実施形態では５つ）に応じて任意に変更される。
【００４５】
そして、各タブＢ１〜Ｂ５のうち何れか１つがタッチされることにより種類選択がなされると（ステップＳ４）、選択された種類に対応する商品Ｃを第２制御部２４の記憶手段から抽出し（ステップＳ５）、抽出した商品Ｃの商品画像を抽出商品表示領域Ｂ６に表示する（ステップＳ６）。例えば、品名の種類として「コーヒー」が割り当てられたタブＢ１がタッチされた場合には、品名に「コーヒー」が付与された商品情報を第２制御部２４の記憶手段から抽出し、抽出した商品情報の商品画像を、図８に示すようにレイアウトされた複数の商品サンプル表示領域Ｂ１ａ〜Ｂ１ｆに表示する。なお、抽出された商品情報の数に応じて抽出画面Ｂ上の商品サンプル表示領域の数が変化することは言うまでもない。
【００４６】
抽出画面Ｂに商品画像が表示されているときには、商品選択がなされたか否か、即ち、抽出画面Ｂに表示された各商品サンプル表示領域Ｂ１ａ〜Ｂ１ｆの何れか１つに利用者がタッチしたか否かを判別する（ステップＳ７）。
【００４７】
商品選択がなされたときには、図９に示すように商品情報表示領域Ａ３４に選択商品の商品画像を実サイズで表示して商品アピールを行う。先に述べたように、第２制御部２４の記憶手段に記憶されている商品画像は所定のサイズ及び解像度を有するＬＣＤ１４において実サイズ表示可能なサイズで作成されているため、選択商品の商品画像をそのまま商品情報表示領域Ａ３４に表示すれば該商品画像は実サイズの商品画像ＲＳＩとなる。また、同じ商品情報表示領域Ａ３４に選択商品の商品説明ＣＥ、例えば容量やカロリーや原材料名等を縦スクロールや横スクロールや静止状態で表示して更なる商品アピールを行う。
【００４８】
この後は投入金額が商品価格以上であるか否かを判別する（ステップＳ８）。
【００４９】
ステップＳ８で投入金額が商品価格に満たないと判別された場合、例えば投入金額がいくらか不足している場合や、この段階で硬貨または紙幣の投入がない場合にはステップＳ２に移行する。つまり、ステップＳ８における実サイズの商品画像ＲＳＩの表示と商品説明ＣＥの表示は、投入金額が商品価格以上で商品選択がなされるまでは、商品選択操作に基づいて行われることになる。換言すれば、利用者は所望商品の実サイズの商品画像ＲＳＩの表示と商品説明ＣＥの表示を任意に行うことで、これら表示から商品に係わる情報、或いは、購買決定を行うに必要な情報を適宜入手することができる。
【００５０】
因みに、ステップＳ８において投入金額がいくらか不足している場合には、必要に応じて投入金額が不足しています等のメッセージを、投入金額が商品価格に達するまで縦または横等のスクロールや静止状態で表示するようにしてもよい。
【００５１】
ステップＳ８で投入金額が商品価格以上であると判別された場合には、図９に示すように購入決定領域Ａ３６を商品情報表示領域Ａ３４に表示する。この場合、購入決定の有無は、購入決定領域Ａ３６がタッチされたか否かにより判別される（ステップＳ９）。そして、購入決定がなされた場合、即ち購入決定領域Ａ３６がタッチされた場合には、選択商品が収納されている商品収納ラック２の商品搬出機構２ｃを動作させて商品搬出を行う（ステップＳ１０）。
【００５２】
商品搬出完了後は、商品情報表示領域Ａ３４の実サイズの商品画像ＲＳＩ及び商品説明ＣＥの表示をクリアし、電源投入時の商品販売画面に戻す。
【００５３】
なお、上記ステップＳ２において属性選択がなされていない場合、ステップＳ４において種類選択がなされていない場合及びステップ９において購入決定がなされていない場合には、ステップＳ７に移行する。また、ステップＳ７において商品選択がなされていない場合には、ステップＳ２に移行する。
【００５４】
また、カロリーを示す領域Ａ３３ｃがタッチされた場合には、例えば「５０ｋｃａｌ未満」、「５０〜９９ｋｃａｌ」及び「１００ｋｃａｌ以上」等のように割り当てられた複数のタブを抽出画面Ｂに表示する。そして、各タブのうち何れか１つがタッチされたときに、タッチされたタブに対応するカロリーが付与された商品情報を抽出し、抽出した商品情報の商品画像を抽出商品表示領域Ｂ６に表示する。
【００５５】
このように、本実施形態の自動販売機によれば、商品Ｃの種類を選択するための複数のタブＢ１〜Ｂ５をＬＣＤ１４に表示させ、各タブＢ１〜Ｂ５がタッチされると、その種類に対応する商品Ｃを抽出するとともに、抽出された商品Ｃの画像を他の商品の画像とは異なる態様でＬＣＤ１４に表示する第２制御部２４を備えたので、所望商品の画像を他の種類の商品の画像と容易に判別することができる。従って、例えば炭酸飲料を所望する場合には所望の商品を炭酸飲料の商品の中から正確に選択できるとともに、所望の販売商品を選択するまでの時間を短くすることができ、利用者の利便性を向上させることができる。
【００５６】
また、商品Ｃの画像のうち抽出された商品Ｃの画像のみをＬＣＤ１４に表示するようにしたので、利用者が所望する商品の画像のみをＬＣＤ１４に表示することができ、利用者の利便性をより向上させることができる。
【００５７】
さらに、抽出された商品Ｃの画像のみを表示する抽出画面Ｂを商品販売画面上に重なるようにＬＣＤ１４に表示させ、抽出画面Ｂに表示された商品画像がタッチされたことをタッチセンサ３３により検知すると、その商品画像に対応する商品Ｃを搬出するようにしたので、抽出された商品Ｃの画像のみがより前面に表示されることから、利用者の注意を引くことができる。従って、利用者が所望する商品をより正確に選択することができる。
【００５８】
さらにまた、各タブＢ１〜Ｂ５によって選択可能な商品Ｃの種類数を販売可能商品の種類数に応じて変更可能にしたので、販売可能な商品の種類を利用者が容易に確認することができ、利用者の利便性をより向上させることができる。
【００５９】
なお、上記実施形態は本発明の一具体例に過ぎず、本発明が上記実施形態のみに限定されることはない。例えば、前記実施形態では、商品販売画面上に抽出画面Ｂを表示させるようにしたものを示したが、図１０に示すように商品販売画面において抽出されなかった商品Ｃの商品画像を、暗色で覆うことにより非表示にするように構成してもよい。この場合、商品情報表示領域Ａ３４には、選択された属性に応じた商品の種類を示す複数の領域Ａ３３ｄ〜Ａ３３ｈが表示され、各領域Ａ３３ｄ〜Ａ３３ｈの何れか１つがタッチされると、商品の抽出を行うようになっている。
【００６０】
また、前記実施形態では、商品Ｃの品名、銘柄またはカロリーに基づいて商品Ｃを抽出するようにしたが、商品価格、容量、容器（ペットボトルやアルミ缶等）、さらにはＨＯＴやＣＯＬＤのような温度設定等を商品属性表示領域Ａ３３に表示させ、これらの属性に基づいて商品Ｃを抽出するようにしてもよい。
【図面の簡単な説明】
【００６１】
【図１】本発明の一実施形態を示す自動販売機の正面図
【図２】図１に示した自動販売機の側面断面図
【図３】図１に示した自動販売機の制御系構成を示すブロック図
【図４】商品情報のデータ構造の一例を示す図
【図５】図１に示した自動販売機における商品販売動作の流れを示すフロー図
【図６】商品販売画面を示す図
【図７】商品販売画面及び抽出画面を示す図
【図８】種類選択後の商品販売画面及び抽出画面を示す図
【図９】商品選択後の商品販売画面及び抽出画面を示す図
【図１０】商品販売画面の変形例を示す図
【符号の説明】
【００６２】
１４…ＬＣＤ、２４…第２制御部、３３…タッチセンサ、Ｂ…抽出画面、Ｂ１〜Ｂ５…複数のタブ。
【図１】
2008059092.tif 000003
【図２】
2008059092.tif 000004
【図３】
2008059092.tif 000005
【図４】
2008059092.tif 000006
【図５】
2008059092.tif 000007
【図６】
2008059092.tif 000008
【図７】
2008059092.tif 000009
【図８】
2008059092.tif 000010
【図９】
2008059092.tif 000011
【図１０】
2008059092.tif 000012